(57)【要約】  【課題】  ダクトタイプのものを基本に構成して天井面や床面上に設置するような場合、冷媒配管やドレン水用の排出装置の取り回しを省スペースで容易に、且つ正確に行なえるようにした空気調和機を提供する。  【解決手段】  本体１の側部より、熱交換器に接続される冷媒配管２と、露受皿３の排水口3aに接続される排水ホース４とを夫々導出してなる空気調和機であって、前記本体１を少なくとも天井面または床面上に設置する際、前記冷媒配管２および排水ポート５が、前記本体１の側部に設けられた支持部材６により同本体１の側部に平行に支持され、前記排水口3aと前記排水ポート５とが前記排水ホース４によって接続されるようにした。【選択図】  図４
2005049075.tif 000002
【特許請求の範囲】
【請求項１】
本体の側部より、熱交換器に接続される冷媒配管と、露受皿の排水口に接続される排水ホースとを夫々導出してなる空気調和機であって、
前記本体を少なくとも天井面または床面上に設置する際、前記冷媒配管および排水ポートが、前記本体の側部に設けられた支持部材により同本体の側部に平行に支持され、前記排水口と前記排水ポートとが前記排水ホースによって接続されるようにしてなることを特徴とする空気調和機。
【発明の詳細な説明】
【技術分野】
【０００１】
本発明は、空気調和機に係わり、より詳細には、ダクトタイプのものを基本に構成して天井面や床面上に設置するような場合、冷媒配管やドレン水用の排出装置の取り回しを省スペースで容易に、且つ正確に行なえるようにした構造に関する。
【背景技術】
【０００２】
従来の空気調和機には、ドレンポンプの修理、点検等の作業および取り付け後のメンテナンス作業等を容易にして、サービススペースの確保およびサービス作業性の向上を図るため、ドレン水を排水するドレンポンプを有する空気調和機において、配管押さえ部を本体の側面に取り外し可能とされたサービス板と、サービス板に取付けられたドレンポンプと、サービス板に設けられた機外ドレン配管接続口（ドレンポンプの排水口）とを備えたものがあった（例えば、特許文献１参照。）。
【０００３】
しかしながら、このものにあっては、前記配管押さえ部により冷媒配管が前記本体の側部に平行な状態で押さえられるようにした構成ではなく、また、排水ホースや排水ポートが前記本体の側部に平行に支持されるようにした構成ではなかった。
【０００４】
そのため、天井埋込型空気調和機として天井裏に設置された場合には、前記冷媒配管やドレン水の排水構造は制約を受けにくいため自由な取り回しを行なうことができるようになっていたが、空気調和機が、例えばダクトタイプのものを基本に構成して天井面や床面上に設置するようにした場合には、前記配管やドレン水用の排水装置の取り回しを省スペースで容易に、且つ正確に行なえるようにすることが望まれていた。
【特許文献１】特開２００２−１３７５６号公報（第１頁〜第３頁、第１図〜第３図）
【発明の開示】
【発明が解決しようとする課題】
【０００５】
本発明は上記の問題点に鑑み、ダクトタイプのものを基本に構成して天井面や床面上に設置するような場合、冷媒配管やドレン水用の排出装置の取り回しを省スペースで容易に、且つ正確に行なえるようにした空気調和機を提供することを目的とする。
【課題を解決するための手段】
【０００６】
本発明は、上記課題を解決するため、本体の側部より、熱交換器に接続される冷媒配管と、露受皿の排水口に接続される排水ホースとを夫々導出してなる空気調和機であって、前記本体を少なくとも天井面または床面上に設置する際、前記冷媒配管および排水ポートが、前記本体の側部に設けられた支持部材により同本体の側部に平行に支持され、前記排水口と前記排水ポートとが前記排水ホースによって接続されるようにしてなる構成となっている。
【発明の効果】
【０００７】
本発明によれば、冷媒配管および排水ポートが、本体の側部に設けられた支持部材により同本体の側部に平行に支持され、露受皿の排水口と前記排水ポートとが排水ホースによって接続されるようにしたので、ダクトタイプのものを基本に構成して天井面や床面上に設置するような場合、冷媒配管やドレン水用の排出装置の取り回しを省スペースで容易に、且つ正確に行なえるようにした空気調和機となる。
【発明を実施するための最良の形態】
【０００８】
以下、本発明の実施の形態を、添付図面に基づいた実施例として詳細に説明する。
【０００９】
図１は本発明による空気調和機の外観斜視図、図２は従来例による空気調和機の側面パネルを取り外した状態を示す外観斜視図、図３は図２で示すＡ部の斜視図、図４は本発明による空気調和機の要部斜視図、図５は本発明による空気調和機の要部斜視図、図６は本発明による空気調和機の要部説明図、図７は本体を天井裏に設置した状態を示す外観斜視図である。
【００１０】
本発明による空気調和機は、隣り合う二面に吸込口および吹出口を設けたダクトタイプの本体１を基本にして、図１で示すように、前記吸込口に対応する吸込グリルｂを備えたメインパネルａと、前記吹出口に対応する吹出部ｄを備えた吹出パネルｃと、側面パネルｅとを夫々被着して天井面や床面上に設置されるようになっている。
【実施例１】
【００１１】
前記本体１の側部には、図２乃至図５で示すように、同本体１の側部に設けられた支持孔1aによって支持され、断熱材2aで被覆された冷媒配管２と、露受皿３に接続された排水口3aとが夫々導出されるようになっており、前記冷媒配管２と、前記排水口3aに接続される排水ホース４および排水ポート５からなる排出装置は、実施例１として図４で示すように、前記本体１の側部に設けられた支持部材６によって支持されたのち、同本体１の側部に前記側面パネルｅが被着されることによってカバーされた状態で天井面や床面上に設置されるようになっている。
【００１２】
上記排出装置について詳細に説明すると、図４で示すように、前記冷媒配管２と前記排水ポート５とが前記支持部材６によって前記本体１の側部に夫々平行に支持されると共に、前記冷媒配管２と前記排水ポート５とが前記排水ホース４によって接続されるように構成されている。
【００１３】
前記断熱材2aで被覆された冷媒配管２は、前記支持部材６に設けられた冷媒配管支持孔6aによって支持されるようになっており、また、前記排水ポート５は、前記支持部材６に設けられた排水ポート支持部6bによって支持されるようになっている。
【００１４】
前記冷媒配管支持孔6aは、図４で示すように、互いに間隔を有した位置に形成されていることから、前記断熱材2aの外形部同士が干渉することがないようになっており、また、前記排水ポート支持部6bによって支持される前記排水ポート５も、前記断熱材2aで被覆された冷媒配管２から適宜離間させるように構成されている。
【００１５】
これによって、前記本体１に前記メインパネルａ、前記吹出パネルｃおよび前記側面パネルｅを被着して、例えば天井面または床面上に設置する際、前記冷媒配管２や前記排出装置の取り回しを省スペースで容易に行なえるようになり、また、前記冷媒配管２および前記排水ポート５とも、前記支持部材６によって前記本体１の側部に平行に夫々支持されているので、これらに配管や排水管などを接続するための作業を正確に行なえるようになり、且つ前記本体１の側部の意匠性を損ねることがない。
【００１６】
なお、前記排水ホース４は、Ｌ字状に折曲形成されたものであってもよいし、Ｌ字状に折曲可能な弾性を有する部材からなる構成であってもよい。
【００１７】
また、前記本体１を前記メインパネルａ、前記吹出パネルｃおよび前記側面パネルｅを被着することなく天井裏に設置する場合であっても、上記説明のとおり、前記冷媒配管２および前記排出装置をなす排水ポート５を前記支持部材６で支持した状態で取り回しできるようにすれば、上記説明のとおり、配管や排水管などを接続するための作業を正確に行なえることになる。
【実施例２】
【００１８】
または、実施例２として図５で示すように、天井裏に設置される従来技術の場合と同様に、前記冷媒配管２および前記排水ポート５を前記支持部材６によって支持するのではなく、例えば前記排水口3aに、自由度のある天井裏のスペースを活用して天井裏に配設される接続配管７が接続されるようにしてもよい。
【００１９】
以上説明したように、本発明による空気調和機によれば、前記冷媒配管２や前記排出装置をなす排水ポート５が前記本体１の側部に設けられた支持部材６によって支持されたのち、同本体１の側部に前記側面パネルｅが被着されることによってカバーされた状態で天井面や床面上に設置されるようになっているので、前記本体１に前記メインパネルａ、前記吹出パネルｃおよび前記側面パネルｅを被着して天井面または床面上に設置する際、前記冷媒配管２や前記排出装置をなす排水ポート５の取り回しを省スペースで容易に行なえるようになり、また、前記冷媒配管２および前記排水ポート５とも、前記支持部材６によって前記本体１の側部と平行状態に夫々支持されているので、これらに配管や排水管などを接続するための作業を正確に行なえるようになり、且つ側部の意匠性を損ねることがない。
【図面の簡単な説明】
【００２０】
【図１】本発明による空気調和機の外観斜視図である。
【図２】従来例による空気調和機の側面パネルを取り外した状態を示す外観斜視図である。
【図３】図２で示すＡ部の斜視図である。
【図４】本発明による空気調和機の要部斜視図である。
【図５】本発明による空気調和機の要部斜視図である。
【図６】本発明による空気調和機の要部説明図である。
【図７】本体を天井裏に設置した状態を示す外観斜視図である。
【符号の説明】
【００２１】
１  空気調和機本体
1a  支持孔
２  冷媒配管
３  露受皿
3a  排水口
４  排水ホース
５  排水ポート
６  支持部材
6a  冷媒配管支持孔
6b  排水ポート支持部
７  接続配管
ａ  メインパネル
ｂ  吸込グリル
ｃ  吹出パネル
ｄ  吹出部
ｅ  側面パネル
【図１】
2005049075.tif 000003
【図２】
2005049075.tif 000004
【図３】
2005049075.tif 000005
【図４】
2005049075.tif 000006
【図５】
2005049075.tif 000007
【図６】
2005049075.tif 000008
【図７】
2005049075.tif 000009